(57)【要約】【課題】座の回動に適度の抵抗力を付与することにより、離着席者の体重に関係なく、座の急激な回動を防止し、もって離着席を円滑に行えるようにした椅子を提供する。【解決手段】椅子の下部構成体に対して、座５を、水平か、または後下向き傾斜する使用位置と、後上向き傾斜する待機位置との間を回動可能として支持し、かつ座５を、待機位置に向かって常時付勢するようにした椅子において、支基３に、座５が待機位置から使用位置へ回動する際に抵抗力を付与するとともに、座５が使用位置から待機位置へ回動する際には、待機位置から使用位置への回動時の抵抗力より小さい抵抗力を付与するようにした抵抗力付与手段３３を設ける。【選択図】  図４
2010104560.tif 000002
【特許請求の範囲】
【請求項１】
椅子の下部構成体に対して、座を、水平か、または後下向き傾斜する使用位置と、後上向き傾斜する待機位置との間を回動可能として支持し、かつ前記座を、待機位置に向かって常時付勢するようにした椅子において、
前記下部構成体に、座が待機位置から使用位置へ回動する際に抵抗力を付与するとともに、座が使用位置から待機位置へ回動する際には、前記待機位置から使用位置への回動時の抵抗力より小さい抵抗力を付与するようにした抵抗力付与手段を設けたことを特徴とする椅子。
【請求項２】
抵抗力付与手段を、座が待機位置から使用位置へ回動する際と、座が使用位置から待機位置へ回動する際との両方向に作用する第１抵抗力付与手段と、座が待機位置から使用位置へ回動する際のみに作用し、座が使用位置から待機位置へ回動する際には、不作動または抵抗力が極端に減少する第２抵抗力付与手段とを備えるものとした請求項１記載の椅子。
【請求項３】
抵抗力付与手段を、下部構成体に設けられ、かつ座の回動に連動して回動する回動軸の両方向の回動に対して抵抗力を付与する第１のディスクダンパーと、下部構成体に設けられ、かつ座の回動に連動して回動する回動軸における座が待機位置から使用位置へ回動する際の前記回動軸の回動に対して抵抗力を付与し、その逆方向の前記回動軸の回動に対しては抵抗力を付与しない第２のディスクダンパーとを備えるものとした請求項１または２記載の椅子。
【発明の詳細な説明】
【技術分野】
【０００１】
本発明は、離着席時に、座が前部を中心として上下に回動することにより、着座者が容易に離着席できるようにした椅子に関する。
【背景技術】
【０００２】
従来のこの種の椅子には、椅子の下部構成体に対して、座を、ほぼ水平の使用位置と、後上向き傾斜する待機位置との間を回動可能として支持し、かつ座を、待機位置に向かって常時付勢するようにしたものがある(例えば、特許文献１および２参照)。
【特許文献１】特開平７−１２４２００号公報
【特許文献２】特開平９−１６８５６５号公報
【発明の開示】
【発明が解決しようとする課題】
【０００３】
特許文献１および２に記載されているものにおいては、座を上向きに付勢する付勢手段であるばねの強さが強いと、体重の軽い人が着席する際に、座が使用位置に到達し難かったり、離席する際に、勢いがついて離席者を前方に押し出したりするおそれがある。
【０００４】
また、ばねの強さが弱いと、体重の重い人が着席する際に、座が急激に使用位置に到達し、座や着席者に衝撃を与えたり、離席する際に、離席者の起立補助の役割を果たさなかったりするおそれがある。
【０００５】
本発明は、従来の技術が有する上記のような問題点に鑑み、座の回動に適度の抵抗力を付与することにより、離着席者の体重に関係なく、座の急激な回動を防止し、もって離着席を円滑に行えるようにした椅子を提供することを目的としている。
【課題を解決するための手段】
【０００６】
本発明によると、上記課題は、次のようにして解決される。
(１)  椅子の下部構成体に対して、座を、水平か、または後下向き傾斜する使用位置と、後上向き傾斜する待機位置との間を回動可能として支持し、かつ前記座を、待機位置に向かって常時付勢するようにした椅子において、前記下部構成体に、座が待機位置から使用位置へ回動する際に抵抗力を付与するとともに、座が使用位置から待機位置へ回動する際には、前記待機位置から使用位置への回動時の抵抗力より小さい抵抗力を付与するようにした抵抗力付与手段を設ける。
【０００７】
このような構成とすると、抵抗力付与手段により、座の回動に適度の抵抗力が付与され、離着席者の体重に関係なく、座の急激な回動が防止され、もって離着席を円滑に行うことができる。
しかも、座が使用位置から待機位置へ回動する際の抵抗力を、座が待機位置から使用位置へ回動する際の抵抗力より小としてあるので、離席時の起立補助力を減殺することがなく、しかも、着席時には、座の待機位置から使用位置への回動に大きい抵抗力を付与して、座がゆっくりと使用位置まで回動するようにすることができ、付勢手段の付勢力の有効利用を図ることができるとともに、離着席の円滑性および安全性を確保することができる。
【０００８】
(２)  上記(１)項において、抵抗力付与手段を、座が待機位置から使用位置へ回動する際と、座が使用位置から待機位置へ回動する際との両方向に作用する第１抵抗力付与手段と、座が待機位置から使用位置へ回動する際のみに作用し、座が使用位置から待機位置へ回動する際には、不作動または抵抗力が極端に減少する第２抵抗力付与手段とを備えるものとする。
【０００９】
このような構成とすると、両方向作用型の第１抵抗力付与手段と、一方向作動型の第２抵抗力付与手段とを組み合わせることにより、座の上向き回動時と下向き回動時とで抵抗力が異なる抵抗力付与手段を、効率よく、簡単に形成することができる。
【００１０】
(３)  上記(１)または(２)項において、抵抗力付与手段を、下部構成体に設けられ、かつ座の回動に連動して回動する回動軸の両方向の回動に対して抵抗力を付与する第１のディスクダンパーと、下部構成体に設けられ、かつ座の回動に連動して回動する回動軸における座が待機位置から使用位置へ回動する際の前記回動軸の回動に対して抵抗力を付与し、その逆方向の前記回動軸の回動に対しては抵抗力を付与しない第２のディスクダンパーとを備えるものとする。
【００１１】
このような構成とすると、抵抗力付与手段を、公知の２個のディスクダンパーにより、簡単に形成することができる。
【発明の効果】
【００１２】
本発明によると、座の回動に適度の抵抗力を付与することにより、離着席者の体重に関係なく、座の急激な回動を防止し、もって離着席を円滑に行えるようにした椅子を提供することができる。
【発明を実施するための最良の形態】
【００１３】
以下、本発明の実施形態を、添付図面を参照して説明する。  
図１〜図８は、本発明の一実施形態である椅子を示す。
図１〜図３に示すように、この椅子は、円板のベース１の中央に脚柱２を立設し、この脚柱２の上端に支基３を固着した下部構成体４を備えている。
【００１４】
脚柱２を、ガススプリング(図示略)により、高さ調節可能とすることもある。
支基３は、平面視および側面視において、脚柱２の上端より前方に向かってほぼ三角形状に拡開する形状をなしている。
【００１５】
支基３の前端部には、座５の前下部が、左右方向の基軸６をもって枢着され、座５は、図１に示すように、後上向きに傾斜する待機位置と、図２および図３に示すように、水平か、やや後下向きに傾斜する使用位置とに、基軸６を中心として回動しうるようになっている。
【００１６】
座５の両側後部において、座５には、左右１対の肘掛け７、７が、一体的に形成されている。
各肘掛け７は、座５の後部両側から起立し、かつ後部が側面視半円弧状または扇形をなし、前部が前上方に向かって収束する側面視ほぼ前向三角形をなしている。
【００１７】
左右の肘掛け７、７における後部の曲率中心部には、上端にヘッドレスト８を設けた背凭れ９の両側下部より前方に延出する前向側片１０の前端部が、ほぼ左右方向を向く支軸１１をもって枢着され、背凭れ９は、座５および肘掛け７に対して、図２に示す起立位置と、図３に示す後傾位置とに、支軸１１を中心として回動しうるようになっている。
【００１８】
基軸６より後方における座５の下部には、ほぼ上下方向を向く左右１対の第１リンク１２、１２の上端部が、左右方向の軸１３をもって連結され、この第１リンク１２、１２の下端部は、支基３の中央部に設けた凹部３ａ(図４参照)内に配設された左右１対のベルクランク状の第２リンク１４、１４における後方を向く第１腕部１４ａ、１４ａの先端部に、左右方向の軸１５をもって連結されている。
【００１９】
各第２リンク１４は、上述の第１腕部１４ａと、上方を向く第２腕部１４ｂとが、基端部である屈曲部１４ｃにおいてほぼ直角に交わるようにした側面視Ｌ字状またはＶ字状をなし、図４に示すように、屈曲部１４ｃに設けた六角孔１４ｄに、支基３の凹部３ａを貫通する六角軸とした左右方向の回動軸１６を相対回転不能として嵌合することにより、左右の第２リンク１４、１４は、回動軸１６と一体となって支基３に対して回動しうるようになっている。
【００２０】
支基３の凹部３ａ内には、座５を待機位置に向かって付勢するゴムトーションユニット１７が、左右の第２リンク１４、１４に左右から挟まれるようにして収容されている。
このゴムトーションユニット１７は、図８に示すように、六角軸とした回動軸１６のほぼ中央部に固嵌した内筒１８と、この内筒１８と同芯状をなすようにして、支基３の凹部３ａ内に回動不能として嵌合された外筒１９と、これら内筒１８と外筒１９との間に嵌合されて、その内面および外周面が、内筒１８の外周面および外筒１９の内面にそれぞれ固着されたほぼ円筒状のトーションゴム２０とを備え、回動軸１６の回動時に、トーションゴム２０が弾性変形することにより、回動軸１６の回動に抵抗力を付与するようになっている。
【００２１】
図８に示すように、支基３の凹部３ａの底部中央には、上下方向を向くねじ孔２１が設けられ、このねじ孔２１に螺合した調節ねじ２２の上端に、外筒１９の外周面に突設した後方を向く突部１９ａの下面を当接し、凹部３ａの底部より上方に突出する調節ねじ２２の突出量を調節することにより、ゴムトーションユニット１７の初期荷重を調節しうるようになっている。
【００２２】
このゴムトーションユニット１７により、回動軸１６および第２リンク１４、１４は、図１における反時計回りに付勢され、さらに第１リンク１２を介して、座５が待機位置に向かって常時付勢されている。
【００２３】
図４および図６に示すように、回動軸１６の両端近傍部における左右の第２リンク１４、１４の外側には、スペーサ２３、２３と、軸受２４、２４とが嵌合され、左右の両軸受２４、２４を、支基３の凹部３ａの両側壁３ｂ、３ｂにおける上端より下向きに設けたＵ字状の受溝２５、２５に上方より落とし込み、その上方より押え片２６、２６を両側壁３ｂ、３ｂの上端にねじ止めすることにより、回動軸１６は、支基３に回動可能として、また上方に外れないようにして枢支されている。
【００２４】
図４に示すように、凹部３ａの両側壁３ｂ、３ｂを貫通した回動軸１６の両端には、角軸部１６ａ、１６ａが連設されており、この左右の角軸部１６ａ、１６ａは、支基３の凹部３ａの両側壁３ｂ、３ｂに固着した左右１対の第１および第２のディスクダンパー(第１および第２抵抗力付与手段)２７、２８における中央の回動部材２９、３０に設けた角孔３１、３２に、相対回動不能として嵌合されている。
【００２５】
第１のディスクダンパー２７は、回動軸１６と一体の回動部材２９の両方向の回動に対して同様の抵抗力を付与する両方向作用型のものとし、第２のディスクダンパー２８は、回動軸１６の図１における時計回りの回動、すなわち座５が待機位置から使用位置に回動する際の回動軸１６の回動に対しては抵抗力を付与するが、その逆方向の回動軸１６の回動に対しては抵抗力を付与しない、または抵抗力が極端に減少する一方向作動型のものとしてある。
【００２６】
この第１および第２のディスクダンパー２７、２８により、座５が待機位置から使用位置へ回動する際に抵抗力を付与するとともに、座５が使用位置から待機位置へ回動する際には、待機位置から使用位置への回動時の抵抗力より小さい抵抗力を付与するようにした抵抗力付与手段３３が形成されている。
【００２７】
この抵抗力付与手段３３により、座５の回動に適度の抵抗力が付与され、離着席者の体重に関係なく、座５の急激な回動が防止され、もって離着席を円滑に行うことができる。
また、座５が使用位置から待機位置へ回動する際の抵抗力を、座５が待機位置から使用位置へ回動する際の抵抗力より小としてあるので、離席時の起立補助力を減殺することがなく、しかも、着席時には、座の待機位置から使用位置への回動に大きい抵抗力を付与して、座がゆっくりと使用位置まで回動するようにすることができ、付勢手段であるゴムトーションユニット１７の付勢力の有効利用を図ることができるとともに、離着席の円滑性および安全性を確保することができる。
【００２８】
支基３の凹部３ａの両側壁３ｂ、３ｂには、左右の第１および第２のディスクダンパー２７、２８を覆う側部カバー３４が、着脱自在に装着されている。
【００２９】
左右の第２リンク１４、１４における第２腕部１４ｂ、１４ｂの先端部間には、ほぼ前後方向を向く押動杆としての伸縮式ダンパー３５の前端部が、左右方向の軸３６をもって連結されている。ダンパー３５の後端部は、背凭れ９における座５との枢着点である支軸１１より下方の下端部における左右方向の中間部に、左右方向の軸３７をもって連結されている。
【００３０】
ダンパー３５は、所要範囲に亘って伸縮可能、かつ伸張する方向に付勢されたシリンダ型のオイルダンパー、またはエアダンパーとすることができる。
【００３１】
このダンパー３５は、座５の待機位置(図１)から使用位置(図２)への回動時に、第１リンク１２が下降して、第２リンク１４の第１腕部１４ａが下向きに回動し、そのときの第２リンク１４の第２腕部１４ｂの後方への回動により後方に移動させられ、背凭れ９の下端部を後方に押動して、背凭れ９をほぼ垂直状態に維持するようにする押動杆として作用するとともに、座５が使用位置(図２)に位置している状態で、背凭れ９が、起立位置(図２)から後傾位置(図３)へ回動させられる間に、背凭れ９を起立位置に向かって復帰回動させるように、背凭れ９を付勢する付勢手段としても作用する。
【００３２】
またダンパー３５は、座５が、使用位置(図２)から待機位置(図１)へ回動する間には、第１リンク１２が上昇して、第２リンク１４の第１腕部１４ａが上向きに回動し、そのときの第２リンク１４の第２腕部１４ｂの前方への回動により、前方に移動させられ、背凭れ９の下端部を前方に牽引し、背凭れ９が前傾しないで、ほぼ垂直状態を維持するようにするリンクとしても作用する。
【００３３】
このように、第１リンク１２と、第２リンク１４と、このダンパー３５とにより、座５と背凭れ９とを、座５が待機位置から使用位置まで回動する間は、背凭れ９をほぼ垂直状態に維持するように連係する連係手段３８が形成され、またダンパー３５により、背凭れ９を起立位置に向かって付勢する付勢手段が形成されている。
【００３４】
支基３の上面には、ダンパー３５が挿通するようにした前後方向に長い開口３９が設けられた上部カバー４０が、着脱自在に設けられている。
【００３５】
この椅子は、上記のような構成としてあるので、座５が上向き回動する際に、背凭れ９が座５から離れることがなく、しかも、起立状態を維持することができ、離着席する人の背を安定よく保持することができるとともに、座５と背凭れ９との連係手段３８を、２個のリンク１２、１４と、押動杆としてのダンパー３５との３個の少ない部材で構成することができるとともに、構造を簡素化することができる。
【００３６】
また、ゴムトーションユニット１７と、第１および第２リンク１２、１４とを採用したことにより、座と背凭れとの連係手段の構成部材を利用して、座５の枢軸から離れた部分に付勢力を効率よく作用させることができるとともに、座５を待機位置に向かって移動させるのに最適な付勢力を座５に付与することができる。
【００３７】
さらに、付勢手段であるゴムトーションユニット１７を、第２リンク１４とともに、下部構成体内にコンパクトに、体裁よく収容することができる。
【００３８】
本発明は、上記実施形態のみに限定されるものではなく、幾多の変形した態様での実施が可能である。
例えば、第１および第２のディスクダンパー２７、２８に代えて、同様の機能を有する公知のロータリーダンパーとしたり、第１および第２抵抗力付与手段として、その他の手段を採用することもできる。
【００３９】
また、ダンパー３５に代えて、ガススプリングや圧縮ばねを用いることもできる。背凭れ９にリクライニング機能を持たせる必要のない場合には、ダンパー３５に代えて、剛体の押動杆のたはリンクとすることもできる。
【００４０】
さらに、ゴムトーションユニット１７において、内筒１８を省略し、トーションゴム２０の内面を、回動軸１６の外周面に直接固着してもよい。
【図面の簡単な説明】
【００４１】
【図１】本発明の一実施形態である椅子の待機状態の側面図である。
【図２】同じく、着座状態の側面図である。
【図３】同じく、リクライニング状態の側面図である。
【図４】同じく、腰部の分解斜視図である。
【図５】同じく、上部カバー、ダンパーおよび基軸を外した状態の支基の平面図である。
【図６】図５のVI−VI線端面図である。
【図７】図５のVII−VII線端面図である。
【図８】図５のVIII−VIII線端面図である。
【符号の説明】
【００４２】
１  ベース
２  脚柱
３  支基
３ａ凹部
３ｂ側壁
４  下部構成体
５  座
６  基軸
７  肘掛け
８  ヘッドレスト
９  背凭れ
１０  前向側片
１１  支軸
１２  第１リンク
１３  軸
１４  第２リンク
１４ａ第１腕部
１４ｂ第２腕部
１４ｃ屈曲部
１４ｄ六角孔
１５  軸
１６  回動軸
１６ａ角軸部
１７  ゴムトーションユニット(付勢手段)
１８  内筒
１９  外筒
１９ａ突部
２０  トーションゴム
２１  ねじ孔
２２  調節ねじ
２３  スペーサ
２４  軸受
２５  受溝
２６  押え片
２７  第１のディスクダンパー(第１抵抗力付与手段)
２８  第２のディスクダンパー(第２抵抗力付与手段)
２９、３０  回動部材
３１、３２  角孔
３３  抵抗力付与手段
３４  側部カバー
３５  ダンパー(押動杆)
３６、３７  軸
３８  連係手段
３９  開口
４０  上部カバー
【図１】
2010104560.tif 000003
【図２】
2010104560.tif 000004
【図３】
2010104560.tif 000005
【図４】
2010104560.tif 000006
【図５】
2010104560.tif 000007
【図６】
2010104560.tif 000008
【図７】
2010104560.tif 000009
【図８】
2010104560.tif 000010